(57)【要約】      （修正有）【課題】小型薄型畳、座布団、茣蓙を持つ平面藺草製品の平面に、片面においては連続均一表面状態になっている異種の装飾性模様の絵柄を表面部材には精巧なＵＶ印刷を施した藺草製品を提供する。【解決手段】藺草で製作された畳茣蓙で製作された、小型薄型畳、座布団、花茣蓙敷物を持つ平面藺草織物２を縦横３００〜１０００ｍｍの長方形、正方形、又は直径３００〜１０００ｍｍφの円形にして、藺草織物平面の片面に、ＵＶ印刷により日本古来の絵柄、又は祝い様相の精巧で、緻密な絵柄、或は図柄、或いはプリント写真、或は文体を施して装飾性表面を形成する。【選択図】図１
0003212337.tif 000002
【実用新案登録請求の範囲】
【請求項１】
藺草で製作された畳茣蓙用として製作された、平面藺草織物を縦横３００〜２０００ｍｍの長方形、又は正方形、及び直径３００〜１０００ｍｍφの円形にした小型薄型畳、座布団、花茣蓙敷物において、前記藺草織物平面の片面に、ＵＶ印刷された日本古来の絵柄、又は祝い様相の精巧で、緻密な絵柄、或は図柄、或いはプリント写真、或は文体を施していることを特徴とするＵＶ印刷を施した装飾性表面を持つ藺草製品。
【請求項２】
小型薄型畳、座布団、花茣蓙敷物を持つ平面藺草織物を縦横３００〜２０００ｍｍの長方形、又は正方形、及び直径３００〜１０００ｍｍφの円形から選ばれた形状体であって、前記藺草織物を有する形状体の平板片面の２０〜８０％の面積に所望される緻密なＵＶ印刷された絵柄、図柄を施しされていることを特徴とする請求項１に記載のＵＶ印刷を施した装飾性表面を持つ藺草製品。
【請求項３】
前記藺草織物を有する形状の平板片面の２０〜１００％の面積にＵＶ印刷を施した藺草織物の平板片面に対して、ＵＶ印刷された日本古来の絵柄、又は祝い様相の精巧で、緻密な絵柄、或は図柄、或いはプリント写真、或は文体を描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、及び写真を表面に施されていることを特徴とする請求項１、又は請求項２に記載のＵＶ印刷を施した装飾性表面を持つ藺草製品。
【考案の詳細な説明】
【技術分野】
【０００１】本考案は藺草で製作された畳茣蓙で製作された、小型薄型畳、座布団、茣蓙を持つ平面藺草織物を平面の片面に、ＵＶ印刷された緻密な絵柄、或は図柄、或いはプリント写真、或は文体を施した精巧な模様を施した表面を持つ藺草製品に関するものである。
【背景技術】
【０００２】  生活の洋風化に伴い、木質系の材料を床材として使用したフローリングの部屋が多く用いられるようになった。しかし和風の生活も捨てがたく、フローリングを使用した部屋で手軽に和室の雰囲気を楽しむことも行われている。このような場合にフローリングに敷く藺草敷物として、例えば、４．５畳の大きさの畳とキルトマットを複数枚組み合わせたユニット畳や茣蓙敷物が使用されている。【０００３】  優れた腰、強度、耐久性、クッション性、滑り防止性及び意匠性を有する藺草製敷物の提供を目的として、藺草を織成した方形の基材シートを備える藺草製敷物であって、基材シートの表面側の外縁域に重畳される、藺草を織成した帯状の４枚のボーダーシートと基材シートの裏面側に積層されて、裏面側に積層される不織布に付設されることが提案されている（特許文献１参照）。【０００４】  またフローリング床に使用される敷物としては、蓙の裏面に不織布を重層した敷物が提案されている。この敷物は、フローリング床上で使用中滑りやすく、また、床面が湿っていた場合、湿気が籠もり、発散しにくく、長時間経つと黴が生えないものを提案している（特許文献２参照）。【０００５】  さらに古典的な畳構造物とは異なり、フローリング用敷物として、クッション性に優れ、かつ、カーペット感覚で敷設、施工できる新しいタイプの畳、畳カーペットを提供されて、熱可塑性樹脂を主成分とする人工藺草製の畳表と、少なくとも熱可塑性樹脂製クッション層または天然繊維製クッション層とで構成されているものが提案されている（特許文献３参照）。【０００６】  表面状態が良く藺草のほつれ等なくて耐久性がある敷物と、その敷物に安価で使用できる縁布、及び人体に有害な物質の揮散のない防ダニ、防カビの機能を発揮する下敷シートの提供として、織成後の敷物をプレス加工、プレス加工茣蓙敷物の裏面へ裏当材を接着して、織り方向の異なる複数の敷物を一体化して、織布又は不織布の片面へ接着剤層を設けて熱融着性にしたものが提案されている（特許文献４参照）。【０００７】  藺草織物を使用した敷物であって、それに使用する藺草敷物の構成している藺草織物、中心の芯、裏地シート、表面被覆体などの藺草織物の構造体を提供している（特許文献５参照）。【０００８】  しかし３層〜４層の藺草敷物とクッション材と織布とからなるラミネート体の藺草敷物でオールシーズン使用可能の敷物は存在しない。また簡単に収納できるものも見当たらない。
【先行技術文献】
【特許文献】
【０００９】
【特許文献１】特開２００６−２５４９３５号公報
【特許文献２】特開平１０−２６４２７８号公報
【特許文献３】特開平９−１３７５８５号公報
【特許文献４】特開平９−６０２６０号公報
【特許文献５】実用新案登録第３１３０２１７号公報
【考案の概要】
【考案が解決しようとする課題】
【００１０】藺草で製作された畳茣蓙で製作された、小型薄型畳、座布団、茣蓙を持つ平面藺草織物を縦横３００〜１０００ｍｍの長方形、正方形、及び直径３００〜１０００ｍｍφの円形にして、前記藺草織物平面の片面に、デザインの異なる多種類の絵柄入り色違いで織る藺草製品を少量生産した場合、一デザイン当たりの茣蓙の生産数量が減少することから、製造コストが高くなってしまう。【００１１】このため、同一デザインの絵柄入り装飾性小型薄型畳、座布団、茣蓙を大量生産する場合に比べて、自ずと箱体の１個当たりの製造コストが高くなり、また特定の模様を持つ表面に精巧なＵＶ印刷を施した絵柄におけるデザインの多種類の絵柄入り装飾性小型薄型畳、座布団、茣蓙を持つ平面藺草織物は製造されていない。またそのような装飾の藺草織物製品においては、顧客に対して低廉な価格で提供できないという問題点があった。【００１２】  また、顧客がデザインの多種類の特殊の装飾性小型薄型畳、座布団、茣蓙を要望する場合、一部の特殊デザインの商品の売れ行きが伸びるが、別の商品の販売数量が当初の見込みを大幅に越えるような状況が生じなく、特殊商品毎に装飾性小型薄型畳、座布団、茣蓙のデザインを異ならせれば、当該一部の商品における絵柄・図柄付き木製食事用具が生産不足で、在庫不足となるため発注しなければならず、更に製造経費が嵩んでしまうという問題点もある。【００１３】本考案では斯かる問題点を是正し、装飾性である絵柄・図柄付き装飾性小型薄型畳、座布団、茣蓙として気品を充分に保ち、または飾り物として室内の装飾品として利用して、後利用を有効に活用出来る絵柄・図柄付き装飾性小型薄型畳、座布団、茣蓙を提供することを目的とする。日本古来の絵柄、又は祝い様相の絵柄における精巧な図柄によって、平板の表面が重臣感をもった製品になった。藺草織物製品においてＵＶ印刷により作り出されるので、特殊デザインが異なる多種多様表面の装飾性小型薄型畳、座布団、茣蓙を提供することを課題としている。
【課題を解決するための手段】
【００１４】藺草で製作された畳茣蓙用として製作された、平面藺草織物を縦横３００〜２０００ｍｍの長方形、又は正方形、及び直径３００〜１０００ｍｍφの円形にした小型薄型畳、座布団、花茣蓙敷物において、前記藺草織物平面の片面に、ＵＶ印刷された日本古来の絵柄、又は祝い様相の精巧で、緻密な絵柄、或は図柄、或いはプリント写真、或は文体を施しているＵＶ印刷を施した精巧な模様のデザイン性表面を持つ藺草製品である。【００１５】小型薄型畳、座布団、茣蓙を持つ平面藺草を縦横３００〜２０００ｍｍの長方形、正方形、及び直径３００〜１０００ｍｍφの円形から選ばれた形状体であって、前記藺草織物を有する形状体の平板片面の２０〜８０％の面積に所望される緻密なＵＶ印刷された絵柄、図柄を施しされている。【００１６】前記藺草織物を有する形状の平板片面の２０〜１００％の面積にＵＶ印刷を施した藺草織物の平板片面に対して、ＵＶ印刷された日本古来の絵柄、又は祝い様相の精巧で、緻密な絵柄、或は図柄、或いはプリント写真、或は文体を描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄から選ばれた１種、又は２種以上の絵柄・図柄、及び写真を表面に施されている。
【考案の効果】
【００１７】藺草で製作された畳茣蓙で製作された、小型薄型畳、座布団、茣蓙を持つ平面藺草で日本古来の絵柄、又は祝い様相の絵柄における精巧な図柄を描いているＵＶ印刷を施した装飾性藺草織物は、日本古来の絵柄、又は祝い様相の絵柄における精巧な図柄によって、藺草製品自体が重臣感をもった製品になった。しかも、藺草織物にＵＶ印刷により作り出されるので、特殊デザインが異なる多種多様表面の小型薄型畳、座布団、茣蓙を持つ平面藺草を創作して製造できる効果がある。ＵＶ印刷は、油性インキに比べて摩擦などの耐性にも優れおり、インキが材質に染み込んでいかないために、インキの吸収性の高い材料には流動性に気を配るなど必要はない。また速乾性のためにインキを乾燥させるためにすぐに次の工程に回せ、種々の色合いの印刷が可能である。【００１８】更に、藺草織物の平面の片面においては連続均一表面状態になっている藺草で製作された畳茣蓙で製作された平面藺草に装飾面を構成する藺草織物部材に精巧なＵＶ印刷を用い、ともに、小型薄型畳、座布団、茣蓙を持つ藺草製品にＵＶ印刷を施した精巧な模様の表面を持つ藺草織物に仕上がって、新鮮的な商品を提供できるといった効果を奏する。また、本考案の小型薄型畳、座布団、茣蓙は、材料として安価な安易なＵＶ印刷による模様持つ藺草織物を使用できて、大量生産に適し、価格も低廉なものとして需要者に供給できる。
【図面の簡単な説明】
【００１９】
【図１】ＵＶ印刷を施した装飾性表面を持つ装飾性小型軽量畳の斜視図  Ａ：茣蓙  Ｂ：小型畳み
【図２】ＵＶ印刷を施した精巧な模様表面を持つ装飾性藺草製品における絵柄・図柄の図  Ａ：浮世絵模様  Ｂ：写真  Ｃ：花木模様
【図３】ＵＶ印刷を施した装飾性表面を持つ座布団の斜視図  Ａ：円型茣蓙  Ｂ：正方型茣蓙
【考案を実施するための形態】
【００２０】以下、本考案の実施形態について図面に基づいて説明する。図１は、ＵＶ印刷を施した精巧な模様の装飾性表面を持つ藺草織物製品の斜視図、図２は、ＵＶ印刷を施した精巧な模様の装飾性表面を持つ藺草織物製品の図、図３は、ＵＶ印刷を施した装飾性表面を持つ藺草織物製品における異なる形状の図である。
【実施例１】
【００２１】藺草で製作された畳茣蓙で製作された小型薄型畳を持つ平面藺草を縦横９００ｍｍの正方形にして、前記藺草織物平面の４０％片面に、ＵＶ印刷された日本古来の絵柄、又は祝い様相の精巧で文体を施した。【００２３】前記藺草織物を有する小型薄型畳形状の平板片面の４０％の面積にＵＶ印刷を施した藺草織物の平板片面に対して、ＵＶ印刷された日本古来の絵柄の精巧で、緻密な絵柄、草花の植物の絵柄を表面に施した。これによって小型薄型畳が、華やかな様相になって、部屋自身には明るくなった。
【実施例２】
【００２４】藺草で製作された畳茣蓙で製作された座布団直径６００ｍｍφの円形にして、前記藺草織物平面の片面に、ＵＶ印刷された日本古来の絵柄の精巧で、緻密な絵柄を施した。【００２５】座布団を持つ平面藺草を直径６００ｍｍφの円形から選ばれた形状で、前記藺草織物を有する形状の平板片面の３０％の面積に所望される緻密なＵＶ印刷された写真を施した。【００２６】前記藺草織物を有する形状の平板片面の３０％の面積にＵＶ印刷を施した藺草織物の平板片面に対して、ＵＶ印刷された写真を表面に施した。これによって小型薄型畳が、華やかな様相になって、部屋自身には明るくなった。
【実施例３】
【００２７】藺草で製作された茣蓙を持つ平面藺草を縦１８００ｍｍ横９００ｍｍの長方形、にして、前記藺草織物平面の片面に、ＵＶ印刷された日本古来の絵柄の精巧で、緻密な絵柄を施した。【００２８】茣蓙を持つ平面藺草を縦１８００ｍｍ横９００ｍｍの長方形の形状であって、前記藺草織物を有する形状の平板片面の２０〜８０％の面積に所望される緻密なＵＶ印刷された図柄を施した。【００２９】前記藺草織物を有する形状の平板片面の２０％の面積にＵＶ印刷を施した藺草織物の平板片面に対して、ＵＶ印刷された図柄を表面に施された。
【符号の説明】
【００３０】１．藺草製品
２．藺草織物
３．縁
４．図柄、絵柄
５．ＵＶ印刷
６．畳
７．座布団
８．ＵＶ印刷写真
【図１】
0003212337.tif 000003
【図２】
0003212337.tif 000004
【図３】
0003212337.tif 000005